(57)【要約】【課題】可動部と固定部の間に接続するフレキシブル管に好適な断熱手段として、フレキシブル管に簡単に装着できて良好な断熱作用が得られ、断熱材の劣化損耗を生じにくく、耐久性に優れて長期間継続使用できる断熱カバーを提供する。【解決手段】筒状形態でフレキシブル管Ｆに装着する断熱カバーＣ１であって、内外表面部１１，１２が耐熱クロスより構成され、内外の耐熱クロスの間に断熱材２が装填され、両端部にフレキシブル管Ｆ又はその接続部に対する締着手段としての締付ベルト３Ａを備える。【選択図】図１
2010276184.tif 000002
【特許請求の範囲】
【請求項１】
筒状形態でフレキシブル管に装着する断熱カバーであって、内外表面部が耐熱クロスより構成されると共に、これら内外の耐熱クロスの間に断熱材が装填され、両端部にフレキシブル管又はその接続部に対する締着手段を備えることを特徴とするフレキシブル管用断熱カバー。
【請求項２】
前記筒状形態の全長にわたる開裂部と、この開裂部の両側縁を結合する止着手段とを有し、該開裂部の結合と分離によって筒状形態と平坦シート形態とに転換可能に構成されてなる請求項１に記載のフレキシブル管用断熱カバー。
【請求項３】
前記開裂部の止着手段が金属製オープンファスナーである請求項２に記載のフレキシブル管用断熱カバー。
【請求項４】
前記締着手段がフレキシブル管に外嵌した筒状形態のカバー本体の端部を外側から巻き締める耐熱クロス製のベルトである請求項１〜３の何れかに記載のフレキシブル管用断熱カバー。
【請求項５】
前記断熱材が内外の少なくとも一方の前記耐熱クロスに縫い付けられてなる請求項１〜４の何れかに記載のフレキシブル管用断熱カバー。
【請求項６】
前記断熱材がガラス繊維マットからなると共に、このマットの長手方向の一定間隔置きに、幅方向に沿って全幅より短い長さのスリットが形成されてなる請求項１〜５の何れかに記載のフレキシブル管用断熱カバー。
【請求項７】
前記内外表面部の耐熱クロスが、ポリパラフェニレンベンゼンビスオキサゾール繊維、アラミド繊維、ポリベンゾイミダゾール繊維、ポリイミド繊維、炭素繊維より選ばれる少なくとも一種を主成分として含む繊維材料からなる請求項１〜６の何れかに記載のフレキシブル管用断熱カバー。
【請求項８】
少なくとも一方が可動部に設けられた一対の流路接続口間に連結され、内部に加熱流体を流通させる金属製フレキシブル管が、請求項１〜７の何れかに記載のフレキシブル管用断熱カバーによって非密着状態に被包されてなるフレキシブル管の断熱構造。
【発明の詳細な説明】
【技術分野】
【０００１】
本発明は、種々の熱処理装置や成形装置等における可動部と固定部の間に連結されるフレキシブル管、特に内部に加熱流体を流通させるフレキシブル管用の断熱カバーと、この断熱カバーを用いたフレキシブル管の断熱構造に関する。
【背景技術】
【０００２】
一般的に、タイヤの如きゴム成形品の加硫機や樹脂成形用のホットプレス機等では、例えば図８で示すように、昇降駆動する加硫チャンバーや成形型等の可動部Ｍに熱源としての加熱蒸気や加熱オイル、加熱エアー等の加熱流体を送給するために、供給元の固定部Ｓの流路接続口Ｊ１と該可動部Ｍの流路接続口Ｊ２との間に、フレキシブル管（略称：フレキ管）Ｆが接続される。このようなフレキシブル管Ｆは、ステンレス鋼等の薄肉金属製の蛇腹管が一般的であるが、この蛇腹管の表面あるいはゴムや樹脂からなる可撓性チューブの表面に、ステンレス鋼線やステンレス鋼帯板の編組による被覆を施して補強したものもある。なお、図８のフレキシブル管Ｆは該編組の被覆を有するものとして図示している。
【０００３】
ところで、内部に加熱流体を流通させるフレキシブル管、特に全体が熱伝導性の高い金属製のフレキシブル管にあっては、稼働コストを抑える上で放熱による熱エネルギー損失を少なくする必要があると共に、作業環境面からも放熱による周辺の気温上昇を抑制することが肝要である。そこで、従来より、固定部同士の間に接続するフレキシブル管については、その断熱手段として、管表面をガラス繊維マットの如き断熱材で被包したり（特許文献１）、更に該断熱材上にアルミテープ等を巻き付けて固定する方法が試みられている（特許文献２）。
【先行技術文献】
【特許文献】
【０００４】
【特許文献１】特開平１０−１４１５８７号公報
【特許文献２】特開２００５−３２５８７７号公報
【発明の概要】
【発明が解決しようとする課題】
【０００５】
しかしながら、可動部と固定部の間に接続するフレキシブル管では、可動部の動作の都度に該フレキシブル管が屈伸変形することになるが、上記従来の断熱手段ではフレキシブル管の屈伸に対して断熱材が屈曲性や伸縮性等の特性的に追従できず、屈伸変形の反復によって断熱材の折れや断裂を生じ易い上、フレキシブル管表面との摩擦によって断熱材が早期に磨り減ると共に、発生した摩耗粉による製品への異物混入が懸念される。従って、可動部と固定部の間に接続するフレキシブル管に関しては、従来より断熱対策を講じないのが通例になっている。
【０００６】
本発明は、上述の事情に鑑みて、特に可動部と固定部の間に接続するフレキシブル管に好適な断熱手段として、該フレキシブル管に簡単に装着できて良好な断熱作用が得られる上、断熱材の劣化損耗を生じにくく、耐久性に優れて長期間継続使用できる断熱カバーと、これを用いた断熱構造を提供することを目的としている。
【課題を解決するための手段】
【０００７】
上記目的を達成するための手段を図面の参照符号を付して示せば、請求項１の発明は、筒状形態でフレキシブル管Ｆに装着する断熱カバーＣ１，Ｃ２であって、内外表面部（内側布帛１１，外側布帛１２）が耐熱クロスより構成されると共に、これら内外の耐熱クロスの間に断熱材２が装填され、両端部にフレキシブル管Ｆ又はその接続部に対する締着手段（締付ベルト３Ａ，３Ｂ）を備えることを特徴としている。
【０００８】
請求項２の発明は、上記請求項１のフレキシブル管用断熱カバーＣ１において、筒状形態の全長にわたる開裂部と、この開裂部の両側縁を結合する止着手段（オープンファスナー５）とを有し、該開裂部の結合と分離によって筒状形態と平坦シート形態とに転換可能に構成されてなるものとしている。
【０００９】
請求項３の発明は、上記請求項２のフレキシブル管用断熱カバーＣ１において、開裂部の止着手段がオープンファスナー５である構成としている。
【００１０】
請求項４の発明は、上記請求項１〜３の何れかのフレキシブル管用断熱カバーＣ１，Ｃ２において、締着手段がフレキシブル管Ｆに外嵌した筒状形態のカバー本体１の端部を外側から巻き締める耐熱クロス製の締付ベルト３Ａ，３Ｂである構成としている。
【００１１】
請求項５の発明は、上記請求項１〜４の何れかのフレキシブル管用断熱カバーＣ１，Ｃ２において、断熱材２が内外の少なくとも一方の前記耐熱クロス（内側布帛１１）に縫い付けられてなる構成としている。
【００１２】
請求項６の発明は、上記請求項１〜５の何れかのフレキシブル管用断熱カバーＣ１，Ｃ２において、断熱材２がガラス繊維マットからなると共に、このマットの長手方向の一定間隔置きに、幅方向に沿って全幅より短い長さのスリット２ａが形成されてなる構成としている。
【００１３】
請求項７の発明は、上記請求項１〜６の何れかのフレキシブル管用断熱カバーＣ１，Ｃ２において、内外表面部の耐熱クロスが、ポリパラフェニレンベンゼンビスオキサゾール繊維、アラミド繊維、ポリベンゾイミダゾール繊維、ポリイミド繊維、炭素繊維より選ばれる少なくとも一種を主成分として含む繊維材料からなる構成としている。
フレキシブル管用断熱カバー。
【００１４】
請求項８の発明は、少なくとも一方が可動部Ｍに設けられた一対の流路接続口Ｊ１，Ｊ２間に連結され、内部に加熱流体を流通させる金属製フレキシブル管Ｆが、請求項１〜７の何れかのフレキシブル管用断熱カバーＣ１，Ｃ２によって非密着状態に被包されてなる構成としている。
【発明の効果】
【００１５】
次に、本発明の効果について、図面を参照して具体的に説明する。まず、請求項１の発明に係るフレキシブル管用断熱カバーＣ１，Ｃ２は、フレキシブル管Ｆに対して筒状形態で装着することにより、その内外の耐熱クロス（内側布帛１１，外側布帛１２）間に装填されている断熱材２による良好な断熱性が得られる。しかも、該断熱材２は内外の耐熱クロスに包まれ、フレキシブル管Ｆと内面側の耐熱クロスとの摺接抵抗が小さいことから、該フレキシブル管Ｆが接続した可動部Ｍの動作によって屈伸変形した際、断熱カバー全体が無理なく追従変形し、断熱材２の折れや断裂を生じにくい上、該断熱材２はフレキシブル管Ｆの表面に対して直接に接触しないために磨滅しにくく、且つ内外表面部が耐熱クロスで熱劣化しにくいことから、カバー全体として優れた耐久性が得られ、長期にわたる継続使用が可能である。また、断熱材２の反復変形や経時的劣化によって粉状物を生じることがあっても、該粉状物は外部に飛散しないから、異物として製品に混入する懸念はない。更に、この断熱カバーＣ１，Ｃ２は、その両端部の締着手段（締付ベルト３Ａ，３Ｂ）により、フレキシブル管Ｆ又はその接続部に対して容易に固定できる。
【００１６】
請求項２の発明に係るフレキシブル管用断熱カバーＣ１は、筒状形態の全長にわたる開裂部を止着手段（オープンファスナー５）で結合・分離することにより、筒状形態と平坦シート形態とに転換可能であるから、既設のフレキシブル管Ｆに対してその端部の連結を外すことなく簡単に装着できる上、嵩張らない平坦シート形態として省スペースで搬送や保管を行える。
【００１７】
請求項３の発明によれば、上記開裂部４の止着手段がオープンファスナー５ａ，５ｂであるため、既設のフレキシブル管Ｆに対する該断熱カバーＣ１の着脱操作を工具類を要することなく容易に短時間で行える。
【００１８】
請求項４の発明によれば、カバー本体１０の両端部に締着手段として締付ベルト３Ａ，３Ｂを有するから、フレキシブル管Ｆに筒状形態で装着した該カバー本体１０を外側から当該締付ベルト３Ａ，３Ｂで巻き締めることにより、段熱カバーＣ１，Ｃ２をフレキシブル管Ｆ又はその接続部に容易に締着固定できる。
【００１９】
請求項５の発明によれば、断熱材２が内外の少なくとも一方の耐熱クロス（内側布帛１１）に縫い付けられているから、フレキシブル管Ｆと共に断熱カバーＣ１，Ｃ２の全体が屈伸変形する際、耐熱クロス間で断熱材２がずれ動くことがなく、もって断熱材２の偏りによる断熱作用の不均一化を回避できると共に、該断熱材２の折れや断裂もより確実に防止できる。
【００２０】
請求項６の発明によれば、断熱材２に用いるガラス繊維マットの長手方向の一定間隔置きに、幅方向に沿って全幅より短い長さのスリット２ａが形成されているから、ガラス繊維マットの曲げ変形性がよく、もってフレキシブル管Ｆの屈伸変形に対して断熱カバーＣ１，Ｃ２がより円滑に追従変形でき、それだけ断熱カバー全体の耐久性が向上する。
【００２１】
請求項７の発明によれば、フレキシブル管用断熱カバーＣ１，Ｃ２の内外表面部の耐熱クロスが特定の繊維材料からなるため、優れた耐熱性及び難燃性に加えて高い強度及び引張弾性率が得られ、断熱カバー全体の耐久性がより向上する。
【００２２】
請求項８の発明に係るフレキシブル管の断熱構造によれば、少なくとも一方が可動部Ｍに設けられた流路接続口Ｊ１，Ｊ２間に連結されて内部に加熱流体を流通させる金属製フレキシブル管Ｆが、上記の断熱カバーＣ１，Ｃ２にて非密着状態に被包されているから、該断熱カバーＣ１，Ｃ２による優れた断熱効果が得られると共に、該断熱カバーＣ１，Ｃ２とフレキシブル管Ｆとが互いに拘束されずに無理なく変形でき、それだけ各々の疲労劣化が軽減されて長寿命化する。
【図面の簡単な説明】
【００２３】
【図１】本発明の第一実施形態に係るフレキシブル管用断熱カバーを示し，（Ａ）は一部破断正面図、（Ｂ）は背面図である。
【図２】図１（Ｂ）のＸ−Ｘ線の断面図である。
【図３】同断熱カバーによるフレキシブル管の被包状態を示す横断面図である。
【図４】固定部と可動部との間に接続されたフレキシブル管に同断熱カバーを装着した状態を示す側面図である。
【図５】同断熱カバーによる複数本のフレキシブル管の被包状態を示す横断面図である。
【図６】本発明の第二実施形態に係るフレキシブル管用断熱カバーの一部破断正面図である。
【図７】同断熱カバーによるフレキシブル管の被包状態を示す横断面図である。
【図８】固定部と可動部との間に接続されたフレキシブル管の一例を示す側面図である。
【発明を実施するための形態】
【００２４】
以下に、本発明に係るフレキシブル管用断熱カバーの実施形態について、図面を参照して具体的に説明する。図１〜図５は第一実施形態の同断熱カバーＣ１、図６及び図７は第二実施形態の同断熱カバーＣ２を示す。
【００２５】
第一実施形態のフレキシブル管用断熱カバーＣ１は、図１で示すように、偏平な矩形袋状に縫製された耐熱クロスからなるカバー本体１と、このカバー本体１内に包み込まれた帯板状の断熱材２と、耐熱クロスからなる２本の締付ベルト３Ａ，３Ａとで構成されている。なお、各部の縫い付けには耐熱糸１０が使用されている。
【００２６】
そして、カバー本体１は、その外面側の長手方向両端部に、各々一対のベルト通し１３が縫い付けられると共に、内面側の長手方向両側縁に沿って、オープンファスナー５の相互に噛合するストリンガー５ａ，５ｂが縫い付けられている。従って、このカバー本体１は、オープンファスナー５を開裂部として、両ストリンガー５ａ，５ｂが解離した平坦シート形態から、両ストリンガー５ａ，５ｂを噛合結着することにより、全体が図１（Ａ）側を外面、図１（Ｂ）側を内面とする筒状形態になる。なお、このオープンファスナー５はストリンガー５ａ，５ｂの耐熱クロスからなる基布５０以外が金属製であり、一方のストリンガー５ａがカバー本体１の側縁から外側へ張出しているのに対し、他方のストリンガー５ｂはカバー本体１の側縁よりも内側に位置しており、該カバー本体１のストリンガー５ｂより外側部分は筒状形態でのファスナー隠し１４を構成している。
【００２７】
断熱材２は、ガラス繊維製のニードルマットからなり、図１（Ａ）及び図２で示すように、その長手方向の一定間隔置きに幅方向に沿うスリット２ａが各々幅方向両端部を余す形で形成されている。そして、この断熱材２は、カバー本体１の内側布帛１１に対してキルティング縫製によってジグザグ状に縫い付けられ、また外側布帛１２に対してもベルト通し１３の縫付け部等の要所で縫い付けられている。
【００２８】
締付ベルト３Ａは、図２でも示すように、耐熱クロスを二重にして周縁部で縫い付けたベルト本体３０の一端側に、ステンレス鋼製の二個のＤ環３１を嵌め、該一端側を輪状に縫い付けたものであり、独立部材としてカバー本体１の外面側のベルト通し１３、１３に挿通した状態で保持されている。
【００２９】
上記構成のフレキシブル管用断熱カバーＣ１は、例えば図４で示すように、固定部Ｓの流路接続口Ｊ１と該可動部Ｍの流路接続口Ｊ２との間に連結されたフレキシブル管Ｆに対し、全長にわたってカバー本体１を装着し、その両端部を締付ベルト３Ａで巻き締めて締着固定する。なお、締付ベルト３Ａによる締着固定は、一般的な二重Ｄ環方式であり、一端側の二個のＤ環３１に他端側を通し、その折り返し部分を両Ｄ環３１の間に通して引き締めればよい。
【００３０】
この断熱カバーＣ１の装着操作では、図３の仮想線で示すように平坦シート形態としたカバー本体１をフレキシブル管Ｆに被せ、オープンファスナー５を閉じることにより、同図実線で示すようにカバー本体１を筒状形態としてフレキシブル管Ｆを包み込めばよいから、該フレキシブル管Ｆの端部の連結を外す必要がない。従って、この断熱カバーＣ１は、既設のフレキシブル管Ｆに対しても、工具類を使用することなく、極めて簡単に且つ迅速に装着できる。かくしてフレキシブル管Ｆに断熱カバーＣ１を装着することにより、カバー本体１内の断熱材２による良好な断熱性が発揮されるから、フレキシブルＦを通して固定部Ｓ側から可動部Ｍ側へ加熱蒸気や加熱オイル、加熱エアー等の加熱流体を送給する場合に、該フレキシブル管Ｆでの放熱損失が少なくなり、もって熱エネルギーコストが低減されると共に、放熱による周辺の気温上昇も抑制されて作業環境が良くなる。
【００３１】
そして、フレキシブル管Ｆは可動部Ｍの昇降動作に伴って屈伸変形するが、断熱材２がカバー本体１に被包され、その内側布帛１１とフレキシブル管Ｆの表面との摺接抵抗が小さいことから、断熱カバーＣ１全体が無理なく追従変形すると共に、断熱材２の折れや断裂を生じにくい。また、断熱材２はフレキシブル管Ｆの表面に対して直接に接触しないために磨滅しにくく、且つカバー本体１が耐熱クロスで熱劣化しにくい。従って、このフレキシブル管用断熱カバーＣ１は、全体として優れた耐久性が得られ、長期にわたる継続使用が可能である。また、断熱材２の反復変形や経時的劣化によって粉状物を生じることがあっても、該粉状物は外部に飛散しないから、異物として製品に混入する懸念はない。一方、この断熱カバーＣ１は、嵩張らない平坦シート形態として省スペースで搬送や保管を行える。
【００３２】
加えて、この断熱カバーＣ１にあっては、断熱材２がカバー本体１に縫い付けられているから、フレキシブル管Ｆの動きに追従して屈伸変形する際、カバー本体１内で断熱材２がずれ動くことがなく、もって断熱材２の偏りによる断熱作用の不均一化を回避できると共に、該断熱材２の折れや断裂もより確実に防止できる。また、断熱材２に用いるガラス繊維マットは長手方向の一定間隔置き形成したスリット２ａによって曲げ変形性がよいため、フレキシブル管Ｆの動きに断熱カバーＣ１がより円滑に追従できる。更に、断熱カバーＣ１とフレキシブル管Ｆとは、非密着状態であるため、互いに拘束されずに無理なく変形でき、それだけ各々の疲労劣化が軽減されて長寿命化する。
【００３３】
なお、図３では断熱カバーＣ１によって１本のフレキシブル管Ｆを包み込む構成を示したが、例えば図５で示すように近接して配置する複数本（図では３本）のフレキシブル管Ｆを単一の断熱カバーＣ１で包み込むことも可能である。
【００３４】
図６で示す第二実施形態のフレキシブル管用断熱カバーＣ２は、耐熱クロス製で二重筒状をなすカバー本体１の内側布帛１１と外側布帛１２との間に、ガラス繊維マット等よりなる断熱材２が装填されると共に、カバー本体１の両端部に、各々一端に二個のＤ環３１を取り付けた耐熱クロス製の締付べルト３Ｂが本体３０の中間部で縫い付けられている。なお、カバー本体１は、内外両側の布帛１１，１２間に断熱材２を挟んで平坦シート状にキルティング縫製し、図７に示すように、この平坦シート状の両側縁部を重ね合わせて縫い付けて円筒状にしたものであり、各部の縫い付けには耐熱糸１０が使用されている。
【００３５】
この第二実施形態の断熱カバーＣ２では、前記第一実施形態の断熱カバーＣ１のような平坦シート形態には転換しないため、既設のフレキシブル管Ｆに装着する場合、その一端側を流路接続口Ｊ１，Ｊ２から外した状態でカバー本体１を套嵌し、該一端側を再接続した上でカバー本体１の両端部を締付ベルト３Ｂで巻き締めて締着固定することになる。
【００３６】
このように断熱カバーＣ２をフレキシブル管Ｆに装着することにより、前記第一実施形態と同様に、カバー本体１内の断熱材２による良好な断熱性が発揮されるから、フレキシブルＦを通して加熱流体を送給する場合に、該フレキシブル管Ｆでの放熱損失が少なくなり、もって熱エネルギーコストが低減されると共に、放熱による周辺の気温上昇も抑制されて作業環境が良くなる。そして、フレキシブル管Ｆが固定部Ｓと可動部Ｍとの間に連結されている場合、可動部の動作に伴って該フレキシブル管Ｆが屈伸変形するが、カバー本体１の内側布帛１１がフレキシブル管Ｆの表面と摺接するから、断熱カバーＣ２全体が無理なく追従変形して断熱材２の折れや断裂を生じにくい。また、断熱材２がフレキシブル管Ｆの表面に直接接触しないので磨滅しにくく、カバー本体１も耐熱クロスで熱劣化しにくいため、断熱カバーＣ２全体として優れた耐久性が得られる。更に、断熱カバーＣ２とフレキシブル管Ｆとが非密着状態であるため、互いに拘束されずに無理なく変形できて各々の疲労劣化が軽減されて長寿命化すると共に、断熱材２の反復変形や経時的劣化によって粉状物を生じても、外部に飛散しないので製品に混入する懸念はない。
【００３７】
なお、図示を省略しているが、この断熱カバーＣ２の断熱材２についても、第一実施形態と同様に、カバー本体１の内外布帛１１，１２の少なくとも一方に縫い付けることにより、カバー本体１内でのずれ動きを防止すると共に、長手方向の一定間隔置きに幅方向のスリットを設けることにより、曲げ変形性を向上させることが推奨される。
【００３８】
カバー本体１及び締付ベルト３Ａ，３Ｂを構成する耐熱クロスとしては、特に制約されないが、ポリパラフェニレンベンゼンビスオキサゾール（ＰＢＯ）繊維、アラミド繊維、ポリベンゾイミダゾール繊維、ポリイミド繊維、炭素繊維より選ばれる少なくとも一種を主成分として含む繊維材料からなるものが好適である。すなわち、このような繊維材料からなる耐熱クロスでは、優れた耐熱性及び難燃性に加えて高い強度及び引張弾性率が得られるから、断熱カバー全体の耐久性がより向上するという利点がある。なお、上記の繊維材料の中でも、ポリパラフェニレンベンゼンビスオキサゾール（ＰＢＯ）繊維を主成分とする耐熱クロスは、高耐熱性に加えて摩擦及び屈曲に強い点から特に推奨される。また、耐熱糸１０としても、上記同様の繊維からなるものが好適である。
【００３９】
第一実施形態の断熱カバーＣ１のようにカバー本体１が筒状形態と平坦シート形態とに転換可能な構成において、当該第一実施形態では筒状形態の全長にわたる開裂部の両側縁を結合する止着手段としてオープンファスナー５を用いているが、本発明においてはホック、ボタン穴とボタン、フック金具、圧着ファスナー等の他の種々の止着手段を採用可能である。ただし、圧着ファスナーは、劣化によって細かい鉤突起が折れて飛散する懸念があるため、フレキシブル管Ｆの配設部位や適用用途によっては好ましくない。
【００４０】
また、フレキシブル管Ｆに外嵌した筒状形態のカバー本体１の端部をフレキシブル管Ｆ又はその接続部に締着する手段としても、第一及び第二実施形態で例示したような締付ベルト以外の種々の構成を採用できる。そして、締付ベルトの締着固定方式としても、例示した二重Ｄ環方式に限らず、衣服類に用いるベルトの各種バックルを始めとする種々の方式を採用できる。ただし、二重Ｄ環方式は，構成的に極めて簡素である上、締付操作も容易で且つ弛みや外れが発生しにくいことから、最も好適である。
【００４１】
断熱材２としては、実施形態で例示したガラス繊維製のニードルマットに限らず、種々の材質のものを使用できるが、耐熱性及び可撓性の両面からガラス繊維製のものが推奨される。また、該断熱材２のスリット２ａとしては、実施形態のように幅方向両端部を余す形に限らず、幅方向全体が断裂しないように、幅方向に沿って全幅より短い長さであればよい。
【００４２】
その他、カバー本体１の縫製形態やサイズ、該カバー本体１に対する断熱材２の縫い付け状態等、細部構成については実施形態以外に種々設計変更可能である。更に、本発明の断熱カバーを適用するフレキシブル管Ｆについても、図８で例示したようなステンレス鋼線やステンレス鋼帯板の編組による被覆を施したものに限らず、一般的なステンレス鋼等の薄肉金属製の蛇腹管も適用対象となる。
【符号の説明】
【００４３】
１          カバー本体
１０        耐熱糸
１１        内側布帛（内側表面部）
１２        外側布帛（外側表面部）
２          断熱材
２ａ        スリット
３Ａ，３Ｂ  締付ベルト（締着手段）
５          オープンファスナー（止着手段）
Ｃ１，Ｃ２  フレキシブル管用断熱カバー
Ｆ          フレキシブル管
【図１】
2010276184.tif 000003
【図２】
2010276184.tif 000004
【図３】
2010276184.tif 000005
【図４】
2010276184.tif 000006
【図５】
2010276184.tif 000007
【図６】
2010276184.tif 000008
【図７】
2010276184.tif 000009
【図８】
2010276184.tif 000010